(57)【要約】【課題】自由に移動しながら、その場所の状況に適した情報を即座に取得することができ、その情報により、その場の状況に適した所望の動作を実現したり、その場で得られる情報を補完する所望の情報処理を実現したりできる情報処理システム、及びその情報処理方法を提供する。【解決手段】互いに情報の送受信を行う情報管理装置と情報処理装置とを備えており、情報処理装置が、近辺の対象物に設置された識別情報発信手段から識別情報を受信し、目的とする関連情報を得るために必要な付加情報とともに情報管理装置に送信し、情報管理装置で関連情報を生成し、情報処理装置に送信する情報処理システム、及びその情報処理方法。【選択図】図１
2007108989.tif 000002
【特許請求の範囲】
【請求項１】
ネットワークを通じて互いに情報の送受信を行う、情報管理装置と情報処理装置とを備えた情報処理システムにおいて、
対象物に設置され、その対象物に関する識別情報を発信する識別情報発信手段を備え、
前記情報処理装置は、
前記識別情報発信手段により発信された識別情報を受信し、当該識別情報に基づき特定の前記情報管理装置に対して、当該対象物に関わる所望の関連情報提供を受けるために必要な付加情報と前記識別情報を送信し、
前記情報管理装置は、
前記情報処理装置の送信した前記付加情報と前記識別情報を受信するとともに、
受信した前記付加情報及び前記識別情報に基づいて、当該識別情報の関わる対象物に関する所望の関連情報を生成する関連情報生成手段を備え、
前記関連情報生成手段により生成された前記関連情報を前記情報処理装置に送信する
ことを特徴とする情報処理システム。
【請求項２】
前記識別情報発信手段は、移動する対象物に設置され、
前記関連情報生成手段により生成される前記関連情報は、前記対象物の移動に伴い変化する情報である
ことを特徴とする請求項１に記載の情報処理システム。
【請求項３】
前記関連情報生成手段は、
前記識別情報に基づき関連するデータテーブルを照合し、取得した中間データを、前記付加情報に基づき加工処理して、前記関連情報を生成する
ことを特徴とする請求項１または２に記載の情報処理システム。
【請求項４】
前記情報処理装置は、
画像情報を取得する画像情報取得手段を備え、
前記画像情報取得手段により取得された画像情報を、前記付加情報として前記情報管理装置に送信する
ことを特徴とする請求項１乃至３の何れか１項に記載の情報処理システム。
【請求項５】
前記関連情報生成手段は、
前記画像情報の被写体を認識する画像認識手段を備え、
前記画像認識手段の認識結果に基づいて、関連するデータテーブルとの照合を行う
ことを特徴とする請求項４に記載の情報処理システム。
【請求項６】
前記情報処理装置は、
前記画像情報取得手段により取得された画像情報に、受信した前記識別情報と前記付加情報を付与し、情報付与された画像情報として記録する
ことを特徴とする請求項４または５に記載の情報処理システム。
【請求項７】
前記情報処理装置は、
前記画像情報取得手段により取得された画像情報に、前記情報管理装置より受信した当該画像情報に関わる前記関連情報を付与する
ことを特徴とする請求項４乃至６の何れか１項に記載の情報処理システム。
【請求項８】
前記情報管理装置は、
前記画像情報を、当該画像情報に対して前記関連情報生成手段により生成された関連情報に対応して設定された保存先に保存する
ことを特徴とする請求項４乃至７の何れか１項に記載の情報処理システム。
【請求項９】
ネットワークを通じて互いに情報の送受信を行う、情報管理装置と情報処理装置とを備えた情報処理システムにおける情報処理方法であって、
対象物に設置された識別情報発信手段が、
その対象物に関する識別情報を発信する識別情報発信工程と、
前記情報処理装置が、
前記識別情報発信工程で発信された前記識別情報を受信する識別情報受信工程と、
前記識別情報受信工程で受信した前記識別情報に基づき特定の前記情報管理装置に対して、当該対象物に関わる所望の関連情報提供を受けるために必要な付加情報と前記識別情報を送信する付加情報送信工程と、
前記情報管理装置が、
前記付加情報送信工程で送信された前記付加情報と前記識別情報を受信する付加情報受信工程と、
前記付加情報受信工程で受信した前記付加情報及び前記識別情報に基づいて、当該識別情報の関わる対象物に関する所望の関連情報を生成する関連情報生成工程と、
前記関連情報生成工程で生成された前記関連情報を前記情報処理装置に送信する関連情報送信工程と、を備える
ことを特徴とする情報処理方法。
【請求項１０】
前記識別情報発信工程は、移動する対象物に設置された前記識別情報発信手段が、その対象物に関する前記識別情報を発信するものであり、
前記関連情報生成工程は、前記移動する対象物の移動に伴い変化する前記関連情報を生成するものである
ことを特徴とする請求項９に記載の情報処理方法。
【請求項１１】
前記関連情報生成工程は、
前記識別情報に基づき関連するデータテーブルを照合し、取得した中間データを、前記付加情報に基づき加工処理して、前記関連情報を生成するものである
ことを特徴とする請求項９または１０に記載の情報処理方法。
【請求項１２】
前記情報処理装置が画像情報を取得する画像情報取得工程を備え、
前記付加情報送信工程は、前記画像情報取得工程で取得された画像情報を、前記付加情報として前記情報管理装置に送信する
ことを特徴とする請求項９乃至１１の何れか１項に記載の情報処理方法。
【請求項１３】
前記情報管理装置が受信した前記画像情報の被写体を認識する画像認識工程を備え、
前記関連情報生成工程は、前記画像認識工程の認識結果に基づいて、関連するデータテーブルとの照合を行う
ことを特徴とする請求項１２に記載の情報処理方法。
【請求項１４】
前記情報処理装置が、前記画像情報取得工程で取得された画像情報に、前記識別情報受信工程で受信した前記識別情報と前記付加情報を付与し、情報付与された画像情報として記録する情報付与画像記録工程を備える
ことを特徴とする請求項１２または１３に記載の情報処理方法。
【請求項１５】
前記情報処理装置が、前記関連情報送信工程で前記情報管理装置より送信された前記関連情報を受信し、当該画像情報に付与する関連情報付与工程を備える
ことを特徴とする請求項１２乃至１４の何れか１項に記載の情報処理方法。
【請求項１６】
前記情報管理装置が、前記画像情報を、当該画像情報に対して前記関連情報生成工程で生成された関連情報に対応して設定された保存先に保存する画像情報保存工程を備える
ことを特徴とする請求項１２乃至１５の何れか１項に記載の情報処理方法。
【発明の詳細な説明】
【技術分野】
【０００１】
本発明は、ネットワークを通じて互いに情報の送受信を行う、情報管理装置と情報処理装置とを備えた情報処理システム、及びその情報処理方法に関する。
【背景技術】
【０００２】
近年、携帯端末の情報処理機能の拡大、無線通信機能やネットワーク利用の一般化などにより、情報処理システムを用いて、いつどこにいても、即座に多くの情報サービスが得られるようになってきた。
【０００３】
例えば、携帯電話を用いた、道案内、乗り換え案内などがある。これはＧＰＳ（Ｇｌｏｂａｌ  Ｐｏｓｉｔｉｏｎｉｎｇ  Ｓｙｓｔｅｍ）や携帯電話の中継局を利用した位置情報が簡便に得られることによるものである。また他にも、移動中に見かけた物品などについて、携帯端末を用いて即座に情報を得られるサービスなども実用化に向かいつつある。
【０００４】
このように、ユーザがたまたま居るその場所で、周囲の対象に関する情報を得ようとするとき、直接的に得られる情報以外に、情報処理システムを利用して関係する情報をリアルタイムで提供できるような技術が、様々に提案されている（例えば、特許文献１参照）。
【０００５】
特許文献１では、ユーザが携帯端末を用いて、例えばそこにある広告媒体などから、より詳細な広告情報を取得できるといった情報提供システムが提案されている。携帯端末でのユーザ操作により、リーダライタが物品に添付されたＲＦタグ（無線タグ）の広告識別情報を非接触で読み取り、読み取った識別情報をサテライトサーバに送信する。サテライトサーバは識別情報に対応する情報コンテンツを検索し、検索された情報コンテンツを携帯端末に送信する。携帯端末は送信された情報コンテンツをその表示手段によって表示する。
【０００６】
こういった技術により、その場ですぐに、そこにはない情報を入手することができるようになる。しかしながら、得られる情報はその特定の対象物単体に関するものに限られ、周囲の状況とは関わりがない。特定の対象物と周囲の状況（場所や建物、他の対象物など）との関わりに関する情報は対象とならない。また得られるのは情報コンテンツのみであり、ユーザは表示を見て知識を得るという利用形態に限られる。さらに、情報入手はユーザーの操作によるものであり、読みとろうとする特定の対象物を見つけるという能動的なユーザ動作を必要とする。
【０００７】
直接的に周囲の情報を得る手段として、撮影による画像情報の入手も盛んになっており、撮影機能を有する携帯端末なども一般化している。しかしながら画像情報は、豊富な情報を持つものの、文字データなどと比べて、例えば検索など、データ処理が容易ではない。画像情報を扱いながら、その被写体である対象物に関する扱いやすい情報を、情報処理システムを利用して取得できるような技術も提案されてきている（例えば、特許文献２、及び３参照）。
【０００８】
特許文献２では、撮影時に、ＧＰＳにより取得した位置情報に基づき、予め用意されたテーブルを照合し、対応する地名情報を得る技術が提案されている。地名情報は文字データに生成され、メタデータとして画像情報と合成して地名付き画像情報となる。地名付き画像情報は、モニターに表示、及び保存される。
【０００９】
こういった技術により、場所に応じた情報が撮影時にリアルタイムに入手でき、画像情報と結合することにより、その活用性を増すことができる。しかしながら、ＧＰＳや携帯電話の中継局により入手できる位置情報は、細かい位置情報が得られない。また、電車の中などといった移動体に居る場合の情報は、得ることができない。さらに、位置情報に対応する地名情報は、予め用意されたテーブルを利用するものであり、地名情報が変更になった場合など、テーブル差し替えなどを要し、リアルタイム性が損なわれることになる。
【００１０】
また、画像情報と、その被写体である対象物に関する情報を結合させるに際して、画像認識を用いて画像自体から被写体を認識し、その被写体である対象物に関する情報取得に役立てる技術も提案されてきている（例えば、特許文献３参照）。
【００１１】
特許文献３では、撮影画像を保存するに当たり、予め記憶された参照画像に基づいて、被写体の認識を行い、画像情報を被写体で区分し、分類する。あるいは、被写体の生年月日データを参照画像と関連づけておき、撮影日時と照合することで被写体の年齢を取得し、被写体ごと及び年齢ごとに区分けされた情報を表示、保存するといった技術が提案されている。
【００１２】
こういった画像認識を用いた技術により、より適切なメタデータを取得し、画像に結合することができるので、画像情報のファイル量が増大しても、より簡便な検索などの画像情報管理が可能になる。しかしながら、画像情報から認識という形で取り出せるだけの情報しか使用していないので、メタデータの範囲は狭くなる。また、画像認識に必要な参照画像が、予め用意されたもの、ユーザーが用意したものに限られており、認識できる被写体数も限定されてしまう。
【特許文献１】特開２００５−６３１４５号公報
【特許文献２】特開２００１−２３５７９０号公報
【特許文献３】特開２００２−１６９８０９号公報
【発明の開示】
【発明が解決しようとする課題】
【００１３】
上記のように、ユーザーがたまたま居るその場所で、周囲の対象に関する情報を得ようとするとき、直接的に得られる情報以外に、関係する情報をリアルタイムで提供できるような技術には、さまざまな課題がある。
【００１４】
本発明の目的は、ユーザが自由に移動しながらも、その場においては直接得られない、その場所の状況に適した情報をリアルタイムで取得することができ、それらの情報により、その場の状況に適した所望の動作を実現したり、その場で直接的に得られる情報を補完する所望の情報処理を実現したり、することのできる情報処理システム、及びその情報処理方法を提供することである。
【課題を解決するための手段】
【００１５】
上記の課題を解決するために、本発明は以下の特徴を有するものである。
【００１６】
（１）  ネットワークを通じて互いに情報の送受信を行う、情報管理装置と情報処理装置とを備えた情報処理システムにおいて、対象物に設置され、その対象物に関する識別情報を発信する識別情報発信手段を備え、前記情報処理装置は、前記識別情報発信手段により発信された識別情報を受信し、当該識別情報に基づき特定の前記情報管理装置に対して、当該対象物に関わる所望の関連情報提供を受けるために必要な付加情報と前記識別情報を送信し、前記情報管理装置は、前記情報処理装置の送信した前記付加情報と前記識別情報を受信するとともに、受信した前記付加情報及び前記識別情報に基づいて、当該識別情報の関わる対象物に関する所望の関連情報を生成する関連情報生成手段を備え、前記関連情報生成手段により生成された前記関連情報を前記情報処理装置に送信する
ことを特徴とする情報処理システム。
【００１７】
（２）  前記識別情報発信手段は、移動する対象物に設置され、前記関連情報生成手段により生成される前記関連情報は、前記対象物の移動に伴い変化する情報であることを特徴とする（１）に記載の情報処理システム。
【００１８】
（３）  前記関連情報生成手段は、前記識別情報に基づき関連するデータテーブルを照合し、取得した中間データを、前記付加情報に基づき加工処理して、前記関連情報を生成することを特徴とする（１）または（２）に記載の情報処理システム。
【００１９】
（４）  前記情報処理装置は、画像情報を取得する画像情報取得手段を備え、前記画像情報取得手段により取得された画像情報を、前記付加情報として前記情報管理装置に送信することを特徴とする（１）乃至（３）の何れか１項に記載の情報処理システム。
【００２０】
（５）  前記関連情報生成手段は、前記画像情報の被写体を認識する画像認識手段を備え、前記画像認識手段の認識結果に基づいて、関連するデータテーブルとの照合を行うことを特徴とする（４）に記載の情報処理システム。
【００２１】
（６）  前記情報処理装置は、前記画像情報取得手段により取得された画像情報に、受信した前記識別情報と前記付加情報を付与し、情報付与された画像情報として記録することを特徴とする（４）または（５）に記載の情報処理システム。
【００２２】
（７）  前記情報処理装置は、前記画像情報取得手段により取得された画像情報に、前記情報管理装置より受信した当該画像情報に関わる前記関連情報を付与することを特徴とする（４）乃至（６）の何れか１項に記載の情報処理システム。
【００２３】
（８）  前記情報管理装置は、前記画像情報を、当該画像情報に対して前記関連情報生成手段により生成された関連情報に対応して設定された保存先に保存することを特徴とする（４）乃至（７）の何れか１項に記載の情報処理システム。
【００２４】
（９）  ネットワークを通じて互いに情報の送受信を行う、情報管理装置と情報処理装置とを備えた情報処理システムにおける情報処理方法であって、対象物に設置された識別情報発信手段が、その対象物に関する識別情報を発信する識別情報発信工程と、前記情報処理装置が、前記識別情報発信工程で発信された前記識別情報を受信する識別情報受信工程と、前記識別情報受信工程で受信した前記識別情報に基づき特定の前記情報管理装置に対して、当該対象物に関わる所望の関連情報提供を受けるために必要な付加情報と前記識別情報を送信する付加情報送信工程と、前記情報管理装置が、前記付加情報送信工程で送信された前記付加情報と前記識別情報を受信する付加情報受信工程と、前記付加情報受信工程で受信した前記付加情報及び前記識別情報に基づいて、当該識別情報の関わる対象物に関する所望の関連情報を生成する関連情報生成工程と、前記関連情報生成工程で生成された前記関連情報を前記情報処理装置に送信する関連情報送信工程と、を備えることを特徴とする情報処理方法。
【００２５】
（１０）  前記識別情報発信工程は、移動する対象物に設置された前記識別情報発信手段が、その対象物に関する前記識別情報を発信するものであり、前記関連情報生成工程は、前記移動する対象物の移動に伴い変化する前記関連情報を生成するものであることを特徴とする（９）に記載の情報処理方法。
【００２６】
（１１）  前記関連情報生成工程は、前記識別情報に基づき関連するデータテーブルを照合し、取得した中間データを、前記付加情報に基づき加工処理して、前記関連情報を生成するものであることを特徴とする（９）または（１０）に記載の情報処理方法。
【００２７】
（１２）  前記情報処理装置が画像情報を取得する画像情報取得工程を備え、前記付加情報送信工程は、前記画像情報取得工程で取得された画像情報を、前記付加情報として前記情報管理装置に送信することを特徴とする（９）乃至（１１）の何れか１項に記載の情報処理方法。
【００２８】
（１３）  前記情報管理装置が受信した前記画像情報の被写体を認識する画像認識工程を備え、前記関連情報生成工程は、前記画像認識工程の認識結果に基づいて、関連するデータテーブルとの照合を行うことを特徴とする（１２）に記載の情報処理方法。
【００２９】
（１４）  前記情報処理装置が、前記画像情報取得工程で取得された画像情報に、前記識別情報受信工程で受信した前記識別情報と前記付加情報を付与し、情報付与された画像情報として記録する情報付与画像記録工程を備えることを特徴とする（１２）または（１３）に記載の情報処理方法。
【００３０】
（１５）  前記情報処理装置が、前記関連情報送信工程で前記情報管理装置より送信された前記関連情報を受信し、当該画像情報に付与する関連情報付与工程を備えることを特徴とする（１２）乃至（１４）の何れか１項に記載の情報処理方法。
【００３１】
（１６）  前記情報管理装置が、前記画像情報を、当該画像情報に対して前記関連情報生成工程で生成された関連情報に対応して設定された保存先に保存する画像情報保存工程を備えることを特徴とする（１２）乃至（１５）の何れか１項に記載の情報処理方法。
【発明の効果】
【００３２】
本発明によれば、ネットワークを通じて互いに情報の送受信を行う、情報管理装置と情報処理装置とを備えた情報処理システム、及びその情報処理方法において、ユーザが所持する情報処理装置が、近辺の対象物に設置された識別情報発信手段からの識別情報を受信し、目的とする関連情報を得るために必要な付加情報とともに情報管理装置に送信し、情報管理装置側で関連情報を生成し、情報処理装置に送信することにより、ユーザが自由に移動しながらも、その場においては直接得られない、その場所の状況に適した情報をリアルタイムで取得することができ、それらの情報により、例えばユーザへの案内など、その場の状況に適した所望の動作を実現したり、例えば撮影画像情報の加工など、その場で直接的に得られる情報を補完する所望の情報処理を実現したり、することのできる情報処理システム、及びその情報処理方法を提供することができる。
【発明を実施するための最良の形態】
【００３３】
本発明の実施形態例を、図を参照して以下に説明する。
【００３４】
（情報処理システムの全体構成）
図１を用いて本発明に係る情報処理システムの一実施形態例について、その構成を説明する。図１は、上記一実施形態例について、その構成を示す構成図である。
【００３５】
本実施形態に係る画像処理システムは、１の情報処理装置と２の情報管理装置、及び４ａ〜４ｃの識別情報発信器を備える。識別情報発信器の数は任意である。
【００３６】
情報処理装置１は、例えば携帯電話やモバイル機器などの携帯可能な情報処理端末を使用することができる。３はネットワークを示し、情報処理装置１はそれらにアクセス機能を有しており、それらを通じて各種のサービスを得る機能がある。
【００３７】
情報管理装置２は、例えば情報処理装置１がネットワーク３などの通信手段を介して接続可能な、サーバなどの大容量情報管理装置である。大容量の各種データベースと連携して、各種情報の管理、提供を行う。
【００３８】
識別情報発信器４ａ〜４ｃは、識別情報発信手段として機能し、何らかの対象物に取り付けられ、その対象物に関する識別情報を赤外線通信、ｂｌｕｅｔｏｏｔｈなどの通信方法によって発信する。従って、情報処理装置１がその対象物の近辺にあると、その通信を受信して、識別情報を得ることができる。
【００３９】
情報処理装置１は、以下の構成要素を備える。
【００４０】
１１は画像情報取得手段として機能する画像情報取得部である。情報処理装置１の機能上、画像情報が必要ない場合は、なくてもよい。画像情報取得部１１は、例えばカメラなどの画像を撮影する手段を含み、光学像を電気信号に変換してデジタル化した画像を、例えばＥｘｉｆなどのファイルフォーマットに従い画像情報として取得する。画像情報は、画像ファイルまたはそのファイルを読み出したデータ列を指している。
【００４１】
１２は表示部であり、撮影前の光学的結像、あるいは撮影後の画像などを表示する。近年は液晶ディスプレイがよく用いられる。画像以外にも撮影に関わる情報や、画像に関わる情報をも表示することが多い。
【００４２】
１３は操作部であり、例えばユーザが適時必要な入力を行うためのボタン、スイッチ類である。情報処理装置１から情報管理装置２にアクセスする際にも、この操作部で必要な操作を行う。
【００４３】
１４はメモリであり、情報処理装置１が情報処理を行うに際して、必要な情報類を一時記憶しておく。
【００４４】
１５は制御部であり、情報処理装置１の全体の機能動作を制御する。
【００４５】
１６は送受信部であり、情報管理装置２や識別情報発信器４ａ〜４ｃと通信するに際してのインタフェイス機能を有している。
【００４６】
情報管理装置２は、以下の構成要素を備える。
【００４７】
２１は関連情報生成部であり、関連情報生成手段として機能する。その機能は、情報処理装置１から得た識別情報、付加情報に基づいて、必要なデータベースを参照、照合して、関連情報を選出し、生成することである。識別情報、付加情報及び関連情報については、後述する。
【００４８】
関連情報生成部２１は、画像認識部５１、関連情報照合部５２、そして画像管理部５３を備えている。但し、画像認識部５１と画像管理部５３は、画像情報を扱わない場合はなくてもよい。
【００４９】
画像認識部５１は、画像認識手段として機能する。パターンマッチング、神経回路網による認識、遺伝的アルゴリズムによる認識などの画像認識プログラムを実行することで画像情報の被写体を認識する。但し、これらの画像認識には、実際の被写体を学習したデータ、辞書データやテンプレートが必要である。
【００５０】
関連情報照合部５２は、識別情報または付加情報とデータベースとを照合することにより、関連情報生成に必要なデータを取得する。付加情報として画像情報が扱われている場合は、前述の画像認識により認識した被写体とその被写体に関わる情報を照合し、所望の関連情報を生成する。
【００５１】
画像管理部５３は、上記画像を扱う処理を制御し、さらに画像情報への関連情報付与や画像情報の記録などを行う。
【００５２】
２２は送受信部であり、情報処理装置１からの識別情報、付加情報の受信や、関連情報の送信を行うに際してのインタフェイス機能を有している。
【００５３】
２３は制御部であり、情報管理装置２の全体の機能動作を制御する。
【００５４】
２４はメモリであり、情報管理装置２が情報処理のサービスを行うに際して、必要な情報を一時記憶しておく。また、関連情報を検索するためのデータテーブルもメモリ内に必要である。この関連情報のデータテーブルについては、外部メモリ（不図示）のデータベースにアクセスする構成であってもよい。
【００５５】
（概略の機能と動作シーケンス）
以上のような構成の情報処理システムにおいて、概略的な機能動作は、次のような情報送受信のシーケンスで表せる。
【００５６】
（１）  対象物に設置された識別情報発信器４ａ〜４ｃは、識別情報を発信している。
【００５７】
（２）  情報処理装置１は、近辺にある識別情報発信器４ａからの識別情報を受信する。
【００５８】
（３）  情報処理装置１は、その識別情報により、関連情報を得るための接続先、すなわち情報管理装置２を特定し、その対象物に関わる関連情報を得るために必要な付加情報を設定した上で、識別情報、付加情報を送信する。
【００５９】
（４）  情報管理装置２は、それらの識別情報、付加情報を受信する。
【００６０】
（５）  情報管理装置２は、受信した識別情報、付加情報に基づき、参照すべきデータテーブルを設定し、照合動作を経て、対象物に関わる関連情報を抽出、生成する。
【００６１】
（６）  情報管理装置２は、生成した関連情報、すなわち情報処理装置１の求める情報を、情報処理装置１に送信する。
【００６２】
（７）  情報処理装置１は、その関連情報を受信する。
【００６３】
（８）  情報処理装置１は、受信した関連情報に基づいて、所定の動作を行う。
【００６４】
また、上記シーケンスで、送受信される情報は、次のような情報である。
【００６５】
（ａ）  識別情報：
・識別情報発信器が設置されている対象物を特定するための、例えばＭＡＣアドレスのような固有の番号、符号など、及びその対象物に関わる情報の入手先を特定するための、例えばＩＰアドレス、ＵＲＬなどである。
【００６６】
（ｂ）  関連情報：
・対象物に関わって求めたい情報、例えば状況（位置情報や場所、存在する対象物など）に応じたデジタルコンテンツの表示や操作、またその操作パラメータ、さらに、状況に適した情報処理端末１への動作指示、例えば振動、発光、送受信、音声再生、表示、プログラム実行などである。
【００６７】
（ｃ）  付加情報：
・上記関連情報を得るために必要な、識別情報に付加される情報である。例えば、関連情報を受信する情報処理装置自体に関する情報、情報処理装置を操作しているユーザに関する情報、さらに情報処理装置において保持している、あるいはネットワークを通じて取得できる、関連情報を得るために有効な情報やデジタルコンテンツ（路線探索であれば駅名、ルートなど）である。
【００６８】
（ｄ）  画像情報：
・上記の付加情報として、より適切に状況（位置情報や場所、存在する対象物など）を求めるために、情報処理装置の近辺の状況を撮影した画像などを用いることも有効である。すなわち、画像ファイルまたはそのファイルを読み出したデータ列で表される画像情報そのものを付加情報として用いることも効果的である。
【００６９】
また、上記シーケンスでは、関連情報を生成するために、データテーブルとの照合が行われ、中間データが求められる。
【００７０】
（ｅ）  中間データ：
・識別情報や付加情報から直接的に所望の関連情報と照合できるようなテーブルがない場合に、中間データテーブルと照合し、関連情報を求めるために必要な中間データをまず取得する。その中間データを基にして、さらに照合、あるいは演算プログラムなどにより、必要な関連情報を生成する。
【００７１】
以上、概略の機能と動作シーケンスについて述べてきたが、詳細については、以下の処理例１及び処理例２で具体的な処理例を説明する。
【００７２】
＜処理例１＞
本実施形態に係る情報処理システムにおける情報処理方法についての処理例１を、以下に図を用いて説明する。
【００７３】
処理例１の機能動作の目的、意図する動作は次のようである。
【００７４】
ユーザは、列車を用いて移動している。路線案内サービスなどにより、目的地への経路と乗換駅を入手できるが、さらに、乗換駅が近づいたら、前もって情報処理装置を振動させるなどの手段で知らせて欲しい。
【００７５】
上記動作を実行するに当たり、処理例１では、図２のようなシーケンスに従う。
【００７６】
（処理例１の動作シーケンス）
図２は処理例１の動作シーケンスを示す図である。図２を用いて、処理例１の動作シーケンスの概略を説明する。シーケンスの各工程については、後述のフローチャートで説明する。
【００７７】
識別情報発信器は、識別情報発信工程１１１で識別情報Ｄ３１を発信し、情報処理装置が、識別情報受信工程１２２で受信する。
【００７８】
識別情報発信器の工程はこれだけである。つまり、それが設置されている列車に関する識別情報Ｄ３１を常に発信することが、識別情報発信器の機能である。
【００７９】
識別情報Ｄ３１は、列車便名及びそれに関する関連情報を得るためのアクセス先を特定するための情報である。
【００８０】
情報処理装置は、この識別情報Ｄ３１によりアクセスする情報管理装置を特定する。また求める関連情報Ｄ３４を得るために必要な付加情報Ｄ３３を設定する。
【００８１】
次いで情報処理装置は、付加情報送信工程１２３で付加情報Ｄ３３（識別情報Ｄ３１を含めて）を送信し、情報管理装置が、付加情報受信工程１３１で受信する。
【００８２】
付加情報Ｄ３３は、乗換駅などのルート情報と乗り換えの予告に関する設定情報である。
【００８３】
情報管理装置は、関連情報生成工程１３３で識別情報Ｄ３１を中間データテーブルと照合し、中間データＤ３２を取得する。
【００８４】
中間データＤ３２は、停車駅と時刻などのその列車の走行に関する情報である。この中間データＤ３２と付加情報Ｄ３３に基づき、情報管理装置は乗換駅への到着予定時間を算出し、関連情報Ｄ３４を生成する。
【００８５】
情報管理装置は、関連情報送信工程１３４で、取得した関連情報Ｄ３４を送信し、情報処理装置が、関連情報受信工程１２４で受信する。
【００８６】
関連情報Ｄ３４は、情報処理装置に対する予告命令であり、乗り換え駅到着１分前に、情報処理装置を予告振動させるＯＮ信号、もしくはそれまでは振動させないＯＦＦ信号のいずれかである。
【００８７】
情報処理装置は、関連情報処理工程１２５で関連情報Ｄ３４に基づき所定の動作を実行する。即ち、関連情報Ｄ３４が予告命令ＯＮであれば、予告振動を実行し、予告命令ＯＦＦであれば、そのまま次の予告命令まで待機する。
【００８８】
（処理例１のフローチャート）
次に図３を用いて、上記動作のより詳細な流れを説明する。図３は処理例１の詳細な手順を示すフローチャートである。説明には、適時図１も参照する。
【００８９】
乗り換え予告の情報提供処理が開始されると、まずステップＳ１１で情報処理装置１は、送受信部１６を介して識別情報を受信する。ステップＳ１１は識別情報受信工程として機能する。
【００９０】
この識別情報は、ステップＳ１２で識別情報発信器４ａによって発信されたものであり、その識別情報発信器４ａが設置されている列車を特定するためのものである。ステップＳ１２が識別情報発信工程として機能する。
【００９１】
識別情報発信器４ａは特定の列車に設置されており、その列車を特定するための識別情報を、列車運行中は常時発信している。その乗客であるユーザの所持している情報処理装置１が、その列車内においてたまたま近辺にある識別情報発信器４ａから、その識別情報を受信したものである。
【００９２】
識別情報発信器の設置個数は任意であり、乗客が列車内のどこにいても、受信できることが望ましい。また、他の任意の列車にもそれぞれ、その列車を特定できる識別情報を発信する識別情報発信器が設置されている。
【００９３】
次に、ステップＳ１３とステップＳ１４で、情報処理装置１の送受信部１６は、識別情報により特定した接続先、すなわち情報管理装置２の送受信部２２にネットワーク３を介して接続する。
【００９４】
ステップＳ１５では、情報処理装置１を用いて、その列車を利用して目的地に至るルートを決定する。例えば情報管理装置２より提供されたルート情報を表示部１２に表示し、操作部１３で選択する等の操作を行いルート決定する。
【００９５】
ステップＳ１６では、情報処理装置１による決定ルートの情報を受けて、情報管理装置２側でメモリ２４に決定ルートを登録する。あるいは、情報処理装置１側で情報管理装置２よりダウンロードして装置内のメモリ１４に決定ルート情報を保持する。
【００９６】
ステップＳ１５及びステップＳ１６でのルート決定と決定ルート情報の登録または保持は、その列車に乗る前に行っていてもよい。但しその場合は、予定列車に乗り遅れた場合など、やり直しの不都合が生ずるので、リアルタイム性を重視するなら、自動化されたプロセスとしておくことが望ましい。
【００９７】
ステップＳ１７では、情報処理装置１を用いて、付加情報を設定する。これも情報処理装置１の表示部１２と操作部１３を用いて入力する。付加情報は、乗換駅到着の予告案内を受けるに当たっての設定条件であり、予告の方法、予告の時間、予告の有無などである。予告は、情報管理装置２より予告命令を受けて、情報処理装置１側が、例えば振動機能を駆動するなどの所定の動作を行う。
【００９８】
ステップＳ１８では、予告命令を受ける準備動作として、情報処理装置１の制御部１５は、予告命令に対するフラグをＯＮにしておく。これで情報管理装置２より予告命令を受けたときに、予告命令を実行できる許可状態になる。
【００９９】
次にステップＳ２０で、情報処理装置１は、送受信部１６を通じて、設定した付加情報を識別情報とともに情報管理装置２へと送信する。ステップＳ２０は付加情報送信工程として機能する。付加情報は、例えば乗換駅到着１分前に情報処理装置１を振動させるように予告に関する設定を行ってあるとする。
【０１００】
ステップＳ２１では、情報管理装置２は、送受信部２２を通じて、情報処理装置１からの付加情報を識別情報とともに受信する。ステップＳ２１は付加情報受信工程として機能する。
【０１０１】
ステップＳ２２では、情報管理装置２は、関連情報生成部２１において、受信した付加情報、識別情報に基づき、関連情報を生成する。ステップＳ２２は関連情報生成工程として機能する。この工程の詳細は後述する（図４のフローチャートと説明参照）。
【０１０２】
ステップＳ２３では、情報管理装置２は、送受信部２２を通じて、生成した関連情報を情報処理装置１へと送信する。ステップＳ２３は関連情報送信工程として機能する。
【０１０３】
関連情報は、乗換駅到着の予告命令であり、例えば、付加情報での予告に関する設定に従い、乗換駅到着１分前には、情報処理装置１を振動させる予告ＯＮ信号を、それまでは振動させない予告ＯＦＦ信号を、予告命令として送信する。
【０１０４】
ステップＳ２４では、情報処理装置１は、送受信部１６を通じて、情報管理装置２からの関連情報、すなわちＯＮまたはＯＦＦの予告命令を受信する。ステップＳ２４は関連情報受信工程として機能する。
【０１０５】
ステップＳ２５では、受信した関連情報、すなわち予告命令がＯＮ信号であるかＯＦＦ信号であるかの判定を行う。予告命令がＯＮ信号であるならば（ステップＳ２５：ＹＥＳ）、ステップＳ２６を実行する。予告命令がＯＮ信号でないならば（ステップＳ２５：ＮＯ）、ステップＳ１９へ進み、情報処理装置１は、送受信部１６を介して、情報発信器４ａからの識別情報を再び受信する。
【０１０６】
その時点で、再び識別情報を受信するのは、乗車している列車及びその運行に変化がないかどうかの確認である。緊急事態で降車したとか、事故などで運行経路が急に変更とかの事態も想定される。
【０１０７】
ステップＳ１９で再度、識別情報を受信した後は、情報処理装置１と情報管理装置２は、ステップＳ２０、すなわち付加情報と識別情報を送信する工程からの処理手順を再び繰り返す。再度関連情報を生成し直す、すなわち状況の変化に応じて到着予定時間を算出し直し、予告命令を出し直す。ステップＳ２０からステップＳ２４を繰り返し、ステップＳ２５に至ると、再度、予告命令がＯＮ信号であるかＯＦＦ信号であるかの判定を繰り返す。
【０１０８】
上記の処理手順は、ステップＳ２５で予告命令がＯＮ信号であると判定されるまで繰り返されることになる。ステップＳ２５で予告命令がＯＮ信号になると、繰り返し処理を抜けて、ステップＳ２６が実行される。
【０１０９】
ステップＳ２６では、情報処理装置１の制御部１５は、予告命令に対するフラグＯＮを確認の上、予告命令ＯＮ信号に従い、情報処理装置１は振動機能を駆動する。ユーザーは、所持する情報処理装置１の振動によって、乗換駅到着予定１分前であることを感知する。
【０１１０】
ステップＳ２７では、予告乗り換え案内自体が不要になったということで、情報処理装置１の制御部１５は予告命令に対するフラグをＯＦＦにし、予告命令を不許可状態とする。
【０１１１】
以上で、乗り換え予告の情報提供処理は終了する。
【０１１２】
次に図４を用いて、上記図３のフローチャートにおけるステップＳ２２の工程、すなわち関連情報生成工程のより詳細な流れを説明する。図４は処理例１における関連情報生成工程の詳細な手順を示すフローチャートである。
【０１１３】
関連情報生成処理が開始されると、まずステップＳ３１で情報管理装置１の関連情報生成部２１は、識別情報Ｄ３１に基づいてメモリ２４もしくは外部メモリの適切なデータベースにアクセスし、列車走行情報に関する中間データテーブルを抽出する。関連情報生成部２１の関連情報照合部５２は、抽出した中間データテーブルと識別情報Ｄ３１を照合することにより、中間データＤ３２として該当列車の走行情報を取得する。
【０１１４】
次にステップＳ３２で、関連情報生成部２１は、中間データＤ３２としての列車走行情報（該当列車の停車駅と予定時刻、現在位置など）とルート（経路、乗換駅など）を含めた付加情報Ｄ３３を参照して乗換駅への到着予定時間を算出する。
【０１１５】
ステップＳ３３では、算出した乗換駅到着予定時間と付加情報Ｄ３３（予告に関する設定）に基づいて、関連情報Ｄ３４として、現在の走行位置、時刻のもとでの予告命令を作成する。現在時が到着予定時間の１分前であれば、予告命令はＯＮ信号、そうでなければＯＦＦ信号である。
【０１１６】
ステップＳ３４では、作成されたＯＮ信号もしくはＯＦＦ信号である予告命令が、情報処理装置１に送信される関連情報Ｄ３４として設定される。
【０１１７】
以上で、情報管理装置１の関連情報生成部２１による関連情報生成処理は終了する。
【０１１８】
＜処理例２＞
本実施形態に係る情報処理システムにおける情報処理方法についての処理例２を、以下に図を用いて説明する。
【０１１９】
処理例２の機能動作の目的、意図する動作は次のようである。
【０１２０】
ユーザは、訪れた場所を移動しながら、デジタルのカメラ機能を有する情報処理装置を用いて、写真を撮影している。撮った写真を整理したり、多量の写真から目的の写真を探したり、といった便利のために、ある場所や被写体などで写真撮影すれば、その撮影シーンを表現する文字データが、写真画像に自動的に付与されて記録されるようにしたい。
【０１２１】
例えば、テーマパーク内で写真撮影すれば、写真画像データに、「お昼前に○○城の前でネズミの人形と一緒に撮った写真」などという文字データが、自動的に付与された画像ファイルとして記録される。
【０１２２】
上記動作を実行するに当たり、処理例２では、図５のようなシーケンスに従う。
【０１２３】
（処理例２の動作シーケンス）
図５は処理例２の動作シーケンスを示す図である。図５を用いて、処理例２の動作シーケンスの概略を説明する。シーケンスの各工程については、後述のフローチャートで説明する。
【０１２４】
情報処理装置はカメラ機能を有しており、通常の写真撮影により画像情報を取得することができる。情報処理装置が、画像情報取得工程２２１で写真撮影を行うと即座に、識別情報Ｄ６１の受信が行われ、本動作シーケンスが開始することになる。
【０１２５】
識別情報発信器は、識別情報発信工程２１１で識別情報Ｄ６１を常に発信しており、情報処理装置が、識別情報受信工程２２２で受信する。
【０１２６】
識別情報発信器の工程はこれだけである。つまり、撮影シーンでの被写体、例えばテーマパークにおけるキャラクタ（例、ネズミの人形）や建造物（例、○○城）などの特徴ある対象物に設置され、それらの対象物に関する識別情報Ｄ６１を常に発信することが、識別情報発信器の機能である。
【０１２７】
識別情報Ｄ６１は、それらの対象物を特定する情報、及びそれらに関する関連情報Ｄ６４を得るためのアクセス先を特定するための情報である。
【０１２８】
情報処理装置は、この識別情報Ｄ６１によりアクセスする情報管理装置を特定する。また求める関連情報Ｄ６４を得るために必要な付加情報Ｄ６３を設定する。
【０１２９】
付加情報Ｄ６３は、この場合取得した画像情報及び撮影に関する情報であり、被写体を特定するために必要なデータであるとともに、後で関連情報Ｄ６４を付与する対象でもある。
【０１３０】
動作シーケンスとしては、ここでそのまま次の付加情報送信工程２２３に進んでもよいし（処理例２−１）、一旦記録媒体に画像情報を含めた付加情報Ｄ６３と識別情報Ｄ６１を記録し、後で情報処理装置、あるいは別の画像情報管理装置などを用いて読み出しを行った上で、次の付加情報送信工程２２３に進んでもよい（処理例２−２）。
【０１３１】
処理例２−１と処理例２−２については、後で分けて処理手順を説明する。
【０１３２】
次いで情報処理装置は、２２３の付加情報送信工程２２３で、付加情報Ｄ６３（識別情報Ｄ６１を含めて）を送信し、情報管理装置が、付加情報受信工程２３１で受信する。
【０１３３】
情報管理装置は、画像認識工程２３２で、被写体を特定する識別情報Ｄ６１に基づき、データベースを検索し、例えば識別情報Ｄ６１に該当する被写体に関するテンプレートや辞書データなどを抽出する。付加情報Ｄ６３としての画像情報を用いて、それらと照合し、被写体を認識する。
【０１３４】
また情報管理装置は、関連情報照合工程２３３で、認識された被写体に基づき、中間データテーブルから中間データＤ６２を取得する。中間データＤ６２は、認識された被写体に対応するそれらの特徴を表現する被写体情報である。この中間データＤ６２と付加情報Ｄ６３に基づき、関連情報Ｄ６４が生成される。
【０１３５】
情報管理装置は、関連情報送信工程２３４で、生成した関連情報Ｄ６４を送信し、情報処理装置が、関連情報受信工程２２４で受信する。
【０１３６】
関連情報Ｄ６４は、中間データＤ６２と撮影に関わる付加情報Ｄ６３に基づき作成された、撮影シーンを表現する文字データであり、画像情報に付与されるべきものである。
【０１３７】
情報処理装置は、関連情報付与工程２２５で、関連情報Ｄ６４として受信した文字データを画像情報に付与する。
【０１３８】
また情報処理装置は、画像情報保存工程２２６で、関連情報Ｄ６４が付与された画像情報を記録媒体などに記録保存する。保存先は、付与された文字データに応じて振り分けられるようにしてもよい。
【０１３９】
情報処理装置における２２５と２２６の工程は、情報管理装置で行うようにしてもよい。その場合は、２３５が関連情報付与工程であり、２３６が画像情報保存工程となる。
【０１４０】
（処理例２−１のフローチャート）
次に図６を用いて、上記動作のより詳細な流れ（処理例２−１）を説明する。図６は処理例２−１の詳細な手順を示すフローチャートである。説明には、適時図１も参照する。
【０１４１】
関連情報付与画像の作成処理１の開始に当たっては、まずステップＳ４１で、ユーザにより画像情報取得の操作が行われる。すなわち情報処理装置への撮影画像入力である。撮影を行うと即座に、次のステップＳ４２が実行され、被写体などに関する識別情報の取り込みが開始する。ステップＳ４１は画像情報取得工程として機能する。
【０１４２】
ステップＳ４２では、情報処理装置１は、送受信部１６を介して識別情報を受信する。ステップＳ４２は識別情報受信工程として機能する。
【０１４３】
この識別情報は、ステップＳ４３で識別情報発信器４ａによって発信されたものである。ステップＳ４３は、識別情報発信工程として機能する。
【０１４４】
識別情報発信器４ａは特定の場所、建造物、キャラクタなどの特徴ある対象物に対して設置されており、それらの特徴ある対象物を特定する情報、及びそれらに関する関連情報を得るためのアクセス先を特定するための情報を識別情報として発信している。ユーザが所持している情報処理装置１で撮影を行ったとき、そこでたまたま被写体に設置されていた識別情報発信器４ａから、その識別情報を受信したものである。
【０１４５】
次に、ステップＳ４８とステップＳ４９で、情報処理装置１の送受信部１６は、識別情報により特定した接続先、すなわち情報管理装置２の送受信部２２にネットワーク３を介して接続する。
【０１４６】
ステップＳ５０では、情報処理装置１を用いて、付加情報を設定する。付加情報は、取得した画像情報そのもの、及び撮影に関する条件などである。画像情報は、被写体を特定するために必要なデータであるとともに、関連情報を付与する対象でもある。撮影に関する条件などは、情報処理装置１により自動的に設定してもよいし、表示部１２と操作部１３を用いて入力してもよい。
【０１４７】
次にステップＳ５１で、情報処理装置１は、送受信部１６を通じて、設定した付加情報を識別情報とともに情報管理装置２へと送信する。ステップＳ５１は付加情報送信工程として機能する。
【０１４８】
ステップＳ５２では、情報管理装置２は、送受信部２２を通じて、情報処理装置１からの付加情報を識別情報とともに受信する。ステップＳ２１は付加情報受信工程として機能する。
【０１４９】
ステップＳ５３では、情報管理装置２は、関連情報生成部２１において、受信した付加情報、識別情報に基づき、関連情報を生成する。ステップＳ５３は関連情報生成工程として機能する。この工程の詳細は後述する（図７のフローチャートと説明参照）。
【０１５０】
ステップＳ５４では、情報管理装置２は、送受信部２２を通じて、生成した関連情報を情報処理装置１へと送信する。ステップＳ５４は関連情報送信工程として機能する。
【０１５１】
関連情報は、撮影シーンを表現する文字データであり、例えば、「お昼前に○○城の前でネズミの人形と一緒に撮った写真」などという文字データである。画像情報に付与されることで、撮った写真を整理したり、多量の写真から目的の写真を探したり、といった作業が簡単になる。
【０１５２】
ステップＳ５５では、情報処理装置１は、送受信部１６を通じて、情報管理装置２からの関連情報、すなわち撮影シーンを表現する文字データを受信する。ステップＳ５５は関連情報受信工程として機能する。
【０１５３】
ステップＳ５６では、情報処理装置１は、受信した関連情報、すなわち撮影シーンを表現する文字データを画像情報とともに表示部１２に表示する。
【０１５４】
ステップＳ５７では、情報処理装置１は、関連情報として受信した文字データを画像情報に付与する。ステップＳ５７は関連情報付与工程として機能する。
【０１５５】
ステップＳ５８では、情報処理装置１は、関連情報が付与された画像情報を記録媒体などに記録保存する。保存先は、付与された文字データに応じて振り分けられるようにしてもよい。ステップＳ５８は画像情報保存工程として機能する。
【０１５６】
以上で、関連情報付与画像の作成処理１は終了する。
【０１５７】
次に図７を用いて、上記図６のフローチャートにおけるステップＳ５３の工程、すなわち関連情報生成工程のより詳細な流れを説明する。図７は処理例２における関連情報生成工程の詳細な手順を示すフローチャートである。
【０１５８】
関連情報生成処理が開始されると、まずステップＳ６１で情報管理装置１の関連情報生成部２１は、識別情報Ｄ６１に基づいてメモリ２４もしくは外部メモリの適切なデータベースにアクセスし、被写体情報に関する中間データテーブル、すなわち辞書データを抽出する。
【０１５９】
次にステップＳ６２で、関連情報生成部２１の画像認識部５１は、抽出した中間データテーブルと付加情報Ｄ６３、すなわち画像情報を照合することにより、撮影シーン内の被写体を認識する。ステップＳ６２は画像認識工程として機能する。
【０１６０】
ステップＳ６３では、関連情報生成部２１の関連情報照合部５２が、認識された撮影シーン内の被写体を中間データテーブルと照合し、中間データＤ６２しての被写体情報を取得する。被写体情報は、認識された被写体に対応するそれらの特徴を表現する文字データなど（キャラクタ、建物、その他に関する文字データなど）である。
【０１６１】
ステップＳ６４では、画像情報に対応する関連情報Ｄ６４として、その被写体情報に基づいて、撮影シーンを表現する文字データが作成される。例えば、「お昼前に○○城の前でネズミの人形と一緒に撮った写真」などという文字データである。
【０１６２】
以上で、情報管理装置１の関連情報生成部２１による関連情報生成処理は終了する。
【０１６３】
（処理例２−２のフローチャート）
次に図８及び図９を用いて、処理例２−２のより詳細な流れを説明する。図８及び図９は処理例２−２の詳細な手順を示すフローチャートである。処理例２−１と同様の工程については、説明を省略し、処理手順の異なる部分について説明する。
【０１６４】
まず図８のフローチャートを用いて、処理例２−２の前半の流れを説明する。
【０１６５】
関連情報付与画像の作成処理２の開始に当たっては、まずステップＳ７１で、ユーザにより画像情報取得の操作が行われる。これは処理例２−１のステップＳ４１と同じ工程である。撮影を行うと即座に、次のステップＳ７２が実行され、被写体などに関する識別情報の取り込みが開始する。
【０１６６】
ステップＳ７２も処理例２−１のステップＳ４２と同じ工程である。
【０１６７】
ステップＳ７２で受信する識別情報は、ステップＳ７３で識別情報発信器４ａによって発信されたものである。ステップＳ７３は、処理例２−１のステップＳ４３と同じ工程である。
【０１６８】
ステップＳ７４では、情報処理装置１において、付加情報（撮影に関する情報）を設定する。これも処理例２−１のステップＳ５０と同様である。
【０１６９】
ステップＳ７５では、情報処理装置１の画像管理部５３は、画像情報に一旦、付加情報及び識別情報を付与する。これは、すぐに関連情報を生成するステップに進みたくない場合などを想定したものであり、関連情報を生成する前に、代わりに関連情報を得るための情報を一旦記録しておくものである。
【０１７０】
ステップＳ７６では、情報処理装置１の画像管理部５３は、画像情報に付加情報及び識別情報を付与された画像情報を一旦記録媒体に記録する。これにより後で関連情報を取得することができる。着脱できる記録媒体を用いた場合は、例えば別の画像管理装置などで関連情報の取得やそれに基づく保存、管理を行うこともできる。
【０１７１】
上述のステップＳ７５及びステップＳ７６は、情報付与画像記録工程として機能する。
【０１７２】
ここで図８のフローチャート部分の説明を終え、図９のフローチャート部分へ続く。この間は、上述のように必要な情報は記録媒体に一旦記録されており、時間的にも空間的にも移動可能である。また装置を替えて引き続く処理を行うことも可能である。
【０１７３】
引き続き以下に、図９のフローチャートを用いて、処理例２−２の後半の流れを説明する。上述のように、以下の説明で情報処理装置１と記した部分は、必要な同様の機能を有する他の装置、例えば画像管理装置などであってもよい。
【０１７４】
ステップＳ７７で、情報処理装置１は、付加情報と識別情報が付与された画像情報を記録媒体から読み出す。各情報を分けて、例えばメモリ１４に一旦保持しておく。
【０１７５】
次に、ステップＳ７８とステップＳ７９では、読み出した識別情報により特定した接続先、すなわち情報管理装置２の送受信部２２にネットワーク３を介して接続する。これも処理例２−１のステップＳ４８及びステップＳ４９と同様である。
【０１７６】
ステップＳ８０では、再度、付加情報を設定する。これも処理例２−１のステップＳ５０と同様である。必要な情報は、ステップＳ７７で記録媒体から読み出し、既に保持している。
【０１７７】
ステップＳ８１からステップＳ８５の工程も、それぞれ処理例２−１のステップＳ５１からステップＳ５５と同じ工程である。関連情報生成工程として機能するステップＳ８３の工程の詳細も処理例２−１と同様であり、前述した図７のフローチャートを用いた説明と同じである。
【０１７８】
ステップＳ８６では、情報処理装置１は、受信した関連情報、すなわち撮影シーンを表現する文字データを画像情報とともに表示部１２に表示する。これも処理例２−１のステップＳ５６と同様である。
【０１７９】
ステップＳ８７も処理例２−１のステップＳ５７と同じ工程である。最初画像情報を読み出した段階では、識別情報と付加情報が付与されていたが、この段階では、目的である関連情報を付与された画像情報がそれに取って代わることになる。
【０１８０】
ステップＳ８８も処理例２−１のステップＳ５８と同じ工程である。同様に、保存先は付与された文字データに応じて振り分けられるようにしてもよい。特に大容量のデータを扱える画像管理装置などを使用した場合に、関連データ、すなわち文字データを有効に利用できる。
【０１８１】
以上で、関連情報付与画像の作成処理２は終了する。
【０１８２】
以上述べてきたような実施形態例により、ネットワークを通じて互いに情報の送受信を行う、情報管理装置と情報処理装置とを備えた情報処理システム、及びその情報処理方法において、ユーザが所持する情報処理装置が、近辺の対象物に設置された識別情報発信手段からの識別情報を受信し、目的とする関連情報を得るために必要な付加情報とともに情報管理装置に送信し、情報管理装置側で関連情報を生成し、情報処理装置に送信することにより、ユーザが自由に移動しながらも、その場においては直接得られない、その場所の状況に適した情報をリアルタイムで取得することができ、それらの情報により、例えばユーザへの案内など、その場の状況に適した所望の動作を実現したり、例えば撮影画像情報の加工など、その場で直接的に得られる情報を補完する所望の情報処理を実現したり、することのできる情報処理システム、及びその情報処理方法を提供することができる。
【０１８３】
なお、上述の実施形態例は、すべての点で例示であって制限的なものではない。本発明の範囲は上記した説明ではなく特許請求の範囲によって示され、特許請求の範囲と均等の意味及び範囲内でのすべての変更が含まれることが意図される。
【図面の簡単な説明】
【０１８４】
【図１】本発明に係る情報処理システムの一実施形態例の構成を示す構成図である。
【図２】本実施形態に係る情報処理システムの具体的な処理例１の動作シーケンスを示す図である。
【図３】処理例１の詳細な手順を示すフローチャートである。
【図４】処理例１における関連情報生成工程の詳細な手順を示すフローチャートである。
【図５】本実施形態に係る情報処理システムの具体的な処理例２の動作シーケンスを示す図である。
【図６】処理例２−１の詳細な手順を示すフローチャートである。
【図７】処理例２における関連情報生成工程の詳細な手順を示すフローチャートである。
【図８】処理例２−２の詳細な手順を示すフローチャートの前半部分である。
【図９】処理例２−２の詳細な手順を示すフローチャートの後半部分である。
【符号の説明】
【０１８５】
１  情報処理装置
２  情報管理装置
３  ネットワーク
４ａ、４ｂ、４ｃ  識別情報発信器
１１  画像情報取得部
１２  表示部
１３  操作部
１４  メモリ
１５  制御部
１６  送受信部
２１  関連情報生成部
２２  送受信部
２３  制御部
２４  メモリ
５１  画像認識部
５２  関連情報照合部
５３  画像管理部
１１１、２１１  識別情報発信工程
２２１  画像情報取得工程
１２２、２２２  識別情報受信工程
１２３、２２３  付加情報送信工程
１２４、２２４  関連情報受信工程
１２５  関連情報処理工程
１３１、２３１  付加情報受信工程
２３２  画像認識工程
１３３  関連情報生成工程
２３３  関連情報照合工程
１３４、２３４  関連情報送信工程
２２５、２３５  関連情報付与工程
２２６、２３６  画像情報保存工程
【図１】
2007108989.tif 000003
【図２】
2007108989.tif 000004
【図３】
2007108989.tif 000005
【図４】
2007108989.tif 000006
【図５】
2007108989.tif 000007
【図６】
2007108989.tif 000008
【図７】
2007108989.tif 000009
【図８】
2007108989.tif 000010
【図９】
2007108989.tif 000011